(57)【特許請求の範囲】
【請求項１】
液体または気体の流体流（１４）を、ノズル開口（１３）を通じて漏れ間隙（１８）内へ噴射するために、それぞれ前記漏れ間隙（１８）の反対側の回転構成部材または静止構成部材に向かって面した、回転構成部材（１６）および／または静止構成部材（１７）における少なくとも１つのノズル開口（１３）を有する回転構成部材（１６）および静止構成部材（１７）によって画成された漏れ間隙（１８）を通じて方向付けられる漏れ流（８）を制限するための流体シール配列において、
前記ノズル開口（１３）において出てくる前記流体流（１４）が前記回転構成部材（１６）および／または前記静止構成部材（１７）の冷却流体のみから成るように、前記少なくとも１つのノズル開口（１３）は、前記回転構成部材（１６）および／または前記静止構成部材（１７）内の冷却チャネル（１１）に、当該冷却チャネル（１１）から分岐した供給ライン（１２）を介して流体接続されており、
前記漏れ間隙（１８）は回転軸方向に延在する部分を含み、当該部分を回転軸方向に流れる前記漏れ流（８）が、当該漏れ流（８）の流れの方向に対して横方向である流れの方向で前記流体流（１４）が当該漏れ流（８）に対して噴射されることによって制限される、
ことを特徴とする、流体シール配列。
【請求項２】
前記少なくとも１つのノズル開口（１３）はノズル軸線（１９）を提供しており、該ノズル軸線（１９）に沿って前記流体流（１４）が方向付けられ、前記ノズル軸線（１９）は、前記回転構成部材（１６）の回転の運動量が、前記少なくとも１つのノズル開口（１３）から出てかつ前記漏れ間隙（１８）の、前記ノズル開口（１３）とは反対側における前記回転構成部材（１６）または前記静止構成部材（１７）に衝突する前記流体流（１４）によって高められるまたは減じられるように、前記回転構成部材（１６）の回転軸線（Ｒ）の半径方向（２０）に対して傾けられている、請求項１記載の流体シール配列。
【請求項３】
前記ノズル軸線（１９）が前記回転構成部材（１６）の回転方向にまたは前記回転構成部材（１６）の回転方向とは反対方向に傾けられるように、前記ノズル開口（１３）を横切る半径方向（２０）に対して角度α≠０°を有するノズル軸線（１９）を備えて前記少なくとも１つのノズル開口（１３）が前記静止構成部材（１７）に配置されているおよび／または前記ノズル軸線（１９）が前記回転構成部材（１６）の回転方向にまたは前記回転構成部材（１６）の回転方向とは反対方向に傾けられるように前記ノズル開口（１３）を横切る半径方向（２０）に対して角度β≠０°を有するノズル軸線（１９）を備えて少なくとも１つのノズル開口（１３）が前記回転構成部材（１６）に配置されている、請求項２記載の流体シール配列。
【請求項４】
αおよびβに関し、αがβと等しいまたはαがβと等しくないおよび０°＜α，β＜±９０°である、請求項３記載の流体シール配列。
【請求項５】
前記回転流れ機械は、ガスタービン配列における圧縮機またはタービン段であり、少なくとも１つの回転構成部材（１６）は、ロータのブレード（１）または表面の一部分であり、少なくとも１つの静止構成部材（１７）は、ハウジングまたは該ハウジングに直接的または間接的に結合された構成部材である、請求項１から４までのいずれか１項記載の流体シール配列を備えた回転流れ機械。
【請求項６】
前記漏れ間隙（１８）は、前記少なくとも１つのノズル開口（１３）を提供するブレード（１）の先端部（２３）と、回転流れ機械のハウジングまたは該ハウジングに結合された構成部材とによって画成されており、前記少なくとも１つのノズル開口（１３）は前記ブレード（１）を冷却するために該ブレード（１）内の冷却チャネル（１１）に接続されているおよび／または前記漏れ間隙（１８）は前記ブレード（１）の前記先端部（２３）と前記回転流れ機械の前記ハウジングまたは該ハウジングに結合された構成部材とによって画成されており、前記ハウジングまたは前記構成部材は前記少なくとも１つのノズル開口（１３）を提供しており、該少なくとも１つのノズル開口（１３）は、前記ハウジングまたは前記構成部材を冷却するために前記ハウジングまたは該ハウジングに結合された前記構成部材内の冷却チャネル（１１）に接続されている、請求項５記載の回転流れ機械。
【請求項７】
前記漏れ間隙（１８）は、前記ブレード（１）の半径方向内側プラットフォーム（２）の一部分と、ベーン（４）の半径方向外側プラットフォーム（５）の一部分とによって画成されており、前記少なくとも１つのノズル開口（１３）は、前記ブレード（１）および／または前記ベーン（４）の部分の側に配置されており、かつそれぞれ前記ブレード（１）または前記ベーン（４）を冷却するための冷却チャネル（１１）に接続されている、請求項５記載の回転流れ機械。
【請求項８】
前記冷却チャネル（１１）は、対流冷却チャネルであるまたはインピンジメント冷却配列を含む、請求項６または７記載の回転流れ機械。
【請求項９】
液体または気体の流体流（１４）を漏れ間隙（１８）内へ噴射することによって、少なくとも１つの回転構成部材（１６）と少なくとも１つの静止構成部材（１７）とによって画成された漏れ間隙（１８）を通る漏れ流を制限する方法において、
前記液体または気体の流体流（１４）を前記漏れ間隙（１８）に進入させるために、前記回転構成部材（１６）および／または前記静止構成部材（１７）を冷却するための冷却流体の一部を分岐させ、
前記漏れ間隙（１８）は回転軸方向に延在する部分を含み、当該部分を回転軸方向に流れる前記漏れ流（８）が、当該漏れ流（８）の流れの方向に対して横方向である流れの方向で前記流体流（１４）が当該漏れ流（８）に対して噴射されることによって制限される、
ことを特徴とする、漏れ流を制限する方法。
【請求項１０】
前記液体または気体の流体流（１４）は、前記回転構成部材（１６）の回転の運動量を、該回転構成部材（１６）および／または静止構成部材（１７）との前記液体または気体の流体流（１４）の衝突によって高められるまたは減じられるように、前記漏れ間隙（１８）に方向付ける、請求項９記載の方法。
【請求項１１】
前記回転構成部材（１６）および前記静止構成部材（１７）は、ガスタービン配列の圧縮機またはタービン段のような回転流れ機械の一部である、請求項９または１０記載の方法。
【発明の詳細な説明】
【技術分野】
【０００１】
本発明は、液体または気体の流体流を、ノズル開口を通じて漏れ間隙内へ噴射するために、それぞれ漏れ間隙の反対側の回転または静止構成部材に向かって面した、回転および／または静止構成部材における少なくとも１つのノズル開口を有する回転および静止構成部材によって画成された漏れ間隙を通じて方向付けられる漏れ流を制限するための流体シール配列に関する。このような漏れ流は、通常、ガスタービン配列のような回転流れ機械、特にその圧縮機およびタービンユニットにおいて生じる。この回転流れ機械においては、回転部分が、ユニットの静止構成部材とともに間隙を取り囲んでおり、いかなる予防措置も設けられていないと、この間隙を通って、ユニットの圧縮空気または高温ガスの軸方向流れの僅かな一部が通過することができる。さらに、漏れ流の流れの方向に対して横方向である流れの方向で、液体または気体の流体流を漏れ間隙内へ噴射することによって、回転および静止構成部材によって画成された漏れ間隙を通る漏れ流を制限する方法が開示される。
【背景技術】
【０００２】
発明の背景
米国特許第７２３８００１号明細書は、回転流れ機械、好適にはガスタービンエンジンにおいて使用されるシール配列を開示している。回転流れ機械において、タービン段を軸方向に通過する高温ガスの流れは、ロータの回転の運動量を加速するための膨張仕事を行う。タービン段の回転および静止構成部材の間に半径方向で形成された間隙を通る漏れ流であって、特に前記漏れ流はエネルギ発生に寄与しない、漏れ流を回避するために、例えば回転および静止構成部材の間にラビリンスシーリング構造を適用することによって間隙のクリアランスを減じるために、公知技術が利用される。ラビリンスシーリングは、半径方向に組み合わさった構造を提供し、これは、間隙の間の半径方向延在によって機械的流れ妨害を提供することによって、間隙を通る軸方向の自由流路を妨害する。
【０００３】
前述のラビリンスシーリングに代えてまたは前述のラビリンスシーリングと組み合わせて、米国特許第７２３８００１号明細書は、漏れ流が、噴射された流体流れ流体によって純粋に動的に制限されるように、漏れ流の方向に対して横方向に向きづけられた流れの方向で、漏れ間隙に流体流れを噴射することを提案している。このために、それぞれが漏れ間隙を画成する回転または静止構成部材にスロットが設けられており、このスロットを通って、流体流れが噴射されかつ漏れ間隙を横切って方向付けられ、これにより、利用できる漏れ間隙をさらに制限するため流体流を、この漏れ間隙を横切る有効スタンディング流体シートとして提供する。
【先行技術文献】
【特許文献】
【０００４】
【特許文献１】米国特許第７２３８００１号明細書
【発明の概要】
【発明が解決しようとする課題】
【０００５】
本発明の課題は、回転機械の効率が著しく高められるように、前に開示された原理、すなわち漏れ間隙内の動的に生ぜしめられた流れ妨害の使用に基づいて、回転および静止構成部材によって画成された漏れ間隙を通って方向付けられる漏れ流を制限するための高められた流体シール配列を提供することである。
【課題を解決するための手段】
【０００６】
前記課題は、請求項１または請求項２の特徴の全体によって達成される。請求項９および１０のそれぞれの主体は、回転および静止構成部材によって画成された漏れ間隙を通る漏れ流を制限する方法である。本発明は、有利には、従属請求項、及び特に好適な実施の形態に言及した以下の説明に開示された特徴によって変更することができる。
【０００７】
回転流れ機械の高められた作動を達成するために、回転流れ機械を通る流路に関連するあらゆる損失メカニズムを排除し、特に、漏れ間隙を画成する回転および静止構成部材の間のあらゆる漏れ流をも回避することが重要である。漏れ流の抑制を実現するために、利用できる漏れ間隙を制限するための流体流を、漏れ間隙を横切る有効スタンディング流体シートとして確立するためのエネルギ支出を減じることを助ける相乗作用を利用することが本発明において提案される。
【０００８】
本発明によれば、液体または気体の流体流を、ノズル開口を通じて漏れ間隙内へ噴射するために、それぞれ漏れ間隙の反対側の回転または静止構成部材に向かって面した、回転および／または静止構成部材における少なくとも１つのノズル開口を有する回転および静止構成部材によって画成された漏れ間隙を通じて方向付けられる漏れ流を制限するための流体シール配列は、本発明によれば、ノズル開口において出てくる流体流が回転および／または静止構成部材の冷却流体のみから成るように、少なくとも１つノズル開口を回転および／または静止構成部材内の冷却チャネルに流体接続することによって改良される。
【０００９】
本発明の流体シール配列は、回転流れ機械の回転および／または静止構成部材、例えばガスタービン配列の圧縮機またはタービンユニットに組み込まれた既存の冷却システムの冷却媒体を使用する。タービン段ユニットの高温ガス流路におけるベーンおよびブレードの過熱を回避するために、冷却チャネルの複雑な系統は、各ベーンおよびブレード内に組み込まれており、この冷却チャネルの複雑な系統を通じて、冷却媒体が、好適には圧縮機ユニットの一部分から取り出された圧縮空気の形式で通過する。前記冷却空気は、冷却チャネルの構造的設計に応じて、対流冷却および／またはインピンジメント冷却の方式で構成部材を冷却してもよい。
【００１０】
冷却仕事を行った後、冷却媒体は、冷却チャネルの出口開口を通って、回転流れ機械の主チャネル内へ流入する。冷却チャネルの出口開口のすぐ上流におけるある量の冷却媒体を、漏れ間隙内へ噴射するためのノズル開口に通じたいわゆる供給チャネル内へバイパスすることによって、冷却媒体の少なくとも一部を使用することが本発明において提案される。本発明の技術的利点は、シーリング目的のための所要のシーリング流体流が、前の用途から、すなわち回転および／または静止構成部材内の冷却系統から既に利用可能であり、したがって、漏れ間隙内へ噴射する追加の流体流供給源を提供する必要がないということである。流体流を少なくとも１つのノズル開口へ供給するための、例えば圧縮機ユニットの一部分からの直接的な供給ラインはもはや一切必要ではなく、むしろ冷却媒体は回転流れ機械内の熱に曝される全ての構成部材において利用可能であり、これにより、冷却媒体が回転流れ機械の主チャネルへ流出する出口開口の近くで、回転または静止構成部材の冷却チャネルを分岐させることが容易に可能である。
【００１１】
漏れ流のための体積妨害の形式で漏れ間隙を充填するためにノズル開口を通じて漏れ間隙内へ噴射するための流体流として冷却媒体を再利用するという前述の原理と組み合わせることができかつ独立した発明の概念として見なすことができる本発明の第２の態様は、漏れ間隙の、ノズル開口とは反対側の回転または静止構成部材に作用する、ノズル開口を通じて漏れ間隙内へ噴射される液体または気体流体流のエネルギ流の使用にも関する。本発明の第２の概念は、ノズル開口を通じて漏れ間隙内へ噴射された後に流体流が衝突する回転または静止構成部材に作用する流れパルスを利用する。流れパルスは、回転構成部材の回転の運動量を高めるまたは減じるために利用することができる。
【００１２】
液体または気体の流体流を、ノズル開口を通じて漏れ間隙内へ噴射するために、それぞれ漏れ間隙の反対側の回転または静止構成部材に向かって面した、回転および／または静止構成部材における少なくとも１つのノズル開口を有する回転および静止構成部材によって画成された漏れ間隙を通じて方向付けられる漏れ流を制御するための流体シール配列は、本発明によれば、ノズル軸線を備える少なくとも１つのノズル開口であって、このノズル軸線に沿って流体流が方向付けられるノズル開口を、少なくとも１つのノズル開口から出てかつ漏れ間隙の、ノズル開口とは反対側における回転または静止構成部材に衝突する流体流によって回転構成部材の回転の運動量が高められるまたは減じられるように、ノズル軸線が回転構成部材の回転軸線の半径方向に対して傾斜させられるように、配置することによって改良される。
【００１３】
米国特許第７２３８００１号明細書による公知の配列においては、流体流れ方向は、回転構成部材の回転軸線に対して直交する平面において半径方向に方向付けられているが、この公知の配列とは対照的に、少なくとも１つのノズル開口を通じて噴射される流体流の方向は、前記の規定された平面に関して、すなわち回転構成部材の回転軸線に対して平行な投影図または回転軸線に直交する平面において、半径方向に対して角度α≠０°を成している。
【００１４】
回転構成部材の回転方向または回転方向とは反対の方向へのノズル軸線の傾斜を適切に選択することにより、回転または静止構成部材への流体流の衝突は、回転の運動量を高めるまたは減じることができる。
【００１５】
好適な実施の形態において、少なくとも１つのノズル開口は、ノズル軸線が角度αを有するように静止構成部材に配置されている。角度αは、ノズル軸線が回転構成部材の回転方向または回転方向とは反対方向に傾斜させられるように、ノズル開口を横切る半径方向に対して基本的に０°＜α＜±９０°、好適には±５°≦α≦±５０°に当てはまる。回転構成部材の回転方向に傾斜している場合、回転構成部材への流体流の衝突は回転の運動量を高める。回転構成部材の回転方向とは反対方向にノズル軸線が傾斜している場合、回転の運動量は低下する。主な態様は回転の運動量を高めることであるが、発明の範囲は回転の運動量を減じる可能性をも含んでいることが重要である。
【００１６】
別の好適な実施の形態において、少なくとも１つのノズル開口は、ノズル軸線が回転構成部材の回転方向にまたは回転方向とは反対方向に傾斜させられるように、ノズル軸線が、ノズル開口を横切る半径方向に対してβ≠０°を有するように回転構成部材に配置されている。回転構成部材における少なくとも１つのノズル開口の配置は、静止構成部材に少なくとも１つのノズルを配置する前述の配置と組み合わせることもできる。両方の場合において、ノズル軸線の傾斜の大きさの選択は、回転の運動量に対する影響の大きさを決定し、傾斜の向きは、影響の種類、すなわち、回転の運動量が高められるかまたは減じられるかを決定する。
【００１７】
回転および静止構成部材におけるノズル開口の組み合わされた実現において、ノズル軸線の向きは、互いに別々に選択することができ、これは、α≠βを意味するが、αおよびβは等しく、同じ向きであることが好ましい。
【００１８】
回転の運動量が高められるようなノズル軸線を有する少なくとも１つのノズル開口を回転構成部材に提供する１つの別の実施の形態が考えられる。さらに、静止構成部材は、回転の運動量を減じるために、反対向きにノズル軸線を有する少なくとも１つのノズル開口も提供する。第１の作動モードにおいては、回転構成部材におけるノズル開口に、回転の運動量を高めるための流体流が供給されつつ、静止構成部材における少なくとも１つのノズル開口のための流体流供給が抑制されるように、各ノズルを通る流体流の供給を独立して制御することができる。第２の作動モードにおいては、回転の運動量を減じるように静止構成部材におけるノズル開口によって流体流が噴射されつつ、回転構成部材におけるノズル開口における流体流の供給が抑制される。
【００１９】
本発明の概念は、基本的に、全ての回転流れ機械に適用可能であるが、好適には、ガスタービン配列の圧縮機およびタービン段に適用可能である。典型的には、このような回転流れ機械の回転構成部材は、ロータのブレードまたは表面部分に関する。静止構成部材は、ハウジングまたはこのハウジングに直接的または間接的に結合された構成部材、好適にはベーン、熱シールドエレメント、または軸方向でタービンハウジングを画成する燃焼器ライナに関する。全てのこれらの場合に、典型的には、熱に曝される構成部材に冷却チャネルが組み込まれているので、漏れ間隙を通る漏れ流を制限するために冷却空気を使用するための付加的な努力がなされることはない。
【００２０】
概して、冷却空気の提案された再利用は、回転および静止構成部材の間に間隙が生じるあらゆる位置において、その少なくとも１つの構成部材が前述の形式で冷却される回転流れ機械において適用することができる。好適な実施の形態は以下の図面に関連してより詳しく説明される。
【００２１】
さらに、漏れ流の流れの方向に対して横方向である流れの方向で、液体または気体の流体流を漏れ間隙内へ噴射することによって、回転および静止構成部材によって画成された漏れ間隙を通る漏れ流を制限する方法であって、本発明によれば、液体または気体の流体流は、漏れ間隙を通過する前にまず回転および／または静止構成部材を冷却するための冷却媒体として機能することを特徴とする、漏れ流を制限する方法が記載される。
【００２２】
本発明の方法は、既存のリソースを利用する。すなわち、本発明の方法は、回転流れ機械内の、熱に曝される回転および／または静止構成部材内の冷却チャネルを通ってまず供給される冷却空気を、漏れ間隙に進入する前に、漏れ間隙を通る漏れ流の制限目的のために再利用する。
【００２３】
別の本発明の態様は、回転構成部材の回転の運動力が、回転および／または静止構成部材との液体または気体の流体流の衝突によって高められるまたは減じられるように、液体または気体の流体流が方向付けられるというものである。
【００２４】
本発明の方法のさらなる詳細は、図面に示された好適な実施の形態を説明する以下の開示から得ることができる。
【００２５】
引き続き図面に関連した典型的な実施の形態に基づいて発明をさらに詳細に説明する。
【図面の簡単な説明】
【００２６】
【図１】ベーンの外径プラットフォームとともに縁部キャビティを包囲した、ブレードの内径プラットフォームの縦断面図と、断面Ａ−Ａに沿った横断面図とを概略的に示している。
【図２ａ】ベーンのプラットフォームのインピンジメント冷却を行う、漏れ間隙を画成するブレードのプラットフォームとベーンのプラットフォームとの縦断面図を概略的に示している。
【図２ｂ】漏れ間隙を画成する、ブレードを対流冷却するための冷却チャネルを備えたブレードと、隣接するベーンとの縦断面図を概略的に示している。
【図２ｃ】漏れ間隙を画成するブレードの先端部と、熱シールドエレメントとの縦断面図を概略的に示している。
【発明を実施するための形態】
【００２７】
典型的な実施の形態の詳細な説明
図１ａは、回転軸線Ｒ周りの回転ブレード１の縦断面図を示している。ブレード１は、刃形縁部３を備えた内径プラットフォーム２を有する。さらに、ベーン４は、軸方向でブレード１に隣接して配置されており、ベーン４は、静止構成部材であり、その外径において、刃形縁部６を有するプラットフォーム５をも提供しており、刃形縁部６はブレード１の刃形縁部３とともに縁部キャビティ７を画成している。縁部キャビティ７を通過する漏れ流８を減じるために、プラットフォーム５と、ブレードの刃形縁部３の先端部との間の間隙を狭めるために、ベーン４のプラットフォーム５にはハニカム構造体９が取り付けられている。
【００２８】
作動中に生じるハニカム構造体９の摩擦効果により、縁部キャビティ７を通過する漏れ流８は不可避である。漏れ流８を部分的にまたは好適には完全に減じるまたは制限するために、ベーン４内部の冷却チャネル１１を通じて供給される冷却空気１０の一部を供給ライン１２に分岐させることが本発明において提案される。この供給ライン１２は、ノズル開口１３において開口しており、冷却空気１０の一部を、縁部キャビティ７を通過する漏れ流８に対して横方向の流れ方向を有する流体流１４として噴射する。
【００２９】
縁部キャビティ７内へ噴射された流体流１４は、漏れ流８を著しく制限し、縁部キャビティ７内の流体動的体積閉塞のように作用する。
【００３０】
図１ａは、冷却空気１０の使用を開示している。冷却空気１０は、冷却チャネル１１を通じて供給され、冷却チャネル１１から、開口１５において、主に流れ回転機械の流路内へ出ていく。冷却空気１０の少なくとも一部は、縁部キャビティ７内に流体閉塞を確立するために使用される。
【００３１】
図１ｂは、図１ａにおける切断線Ａ−Ａに沿った断面図を示す。ブレード１およびそのプラットフォーム２に対応する回転構成部材１６は、反時計回りの回転方向で回転軸線Ｒを中心に回転する。ベーン４に対応する静止構成部材１７は、回転構成部材１６を包囲しており、この回転構成部材１６は、縁部キャビティ７に対応する漏れ間隙１８を画成している。漏れ間隙１８を通る漏れ流を減じるために、静止構成部材１７に複数のノズル開口１３が配置されている。各ノズル開口１３は、ノズル軸線１９を提供しており、このノズル軸線１９に沿って流体流１４は各ノズル開口１３を通って放出される。ノズル軸線１９は、回転軸線Ｒに関する半径方向２０に対して角度＋αを形成している。ノズル開口１３の場合、ノズル軸線１９は、回転構成部材１６に衝突する流体流１４が回転構成部材１６の回転の運動量を高めるように方向付けられている。この場合、ノズル軸線は、回転構成部材の回転方向に傾けられている。回転の運動量の増大を最適化するために、角度αは５°≦α≦５０°の角度範囲である。
【００３２】
さらに、図１ｂは、別の可能性としてノズル開口１３’の配列を示している。ノズル開口１３’は、回転構成部材１６の回転方向と反対方向に傾けられたノズル軸線１９’を有する。ノズル開口１３’を通じて流体流を噴射することにより、流体流は、回転の運動量が減じられるように回転構成部材に作用する。すなわち、角度αは負の値であり、回転構成部材１６の回転の運動量に対する減速効果の大きさに応じて−５°≦α≦−５０°の角度範囲であってよい。
【００３３】
両方の例示された場合、すなわち、回転側または静止側におけるノズルの配列は、回転流れ機械の個々の作動状況に応じて、組み合わせてまたは択一的に適用することもできる。
【００３４】
図２ａは、別の実施の形態を縦断面図で示している。この場合、回転ブレード１は、内径プラットフォーム２を提供しており、この内径プラットフォーム２は、ベーン４のプラットフォーム５とともに漏れ間隙１８を画成している。漏れ間隙１８を通る漏れ流８を制限するために、冷却空気１０が供給される供給ライン１２のノズル開口１３を通じて流体流１４が噴射される。冷却空気１０は、インピンジメント冷却によってベーン４のプラットフォーム５を冷却する。このために、冷却系において、ベーン４のプラットフォーム５内にインピンジメントシート２１が配置されている。
【００３５】
図２ｂは、ブレード１の翼を冷却するための冷却チャネル１１を提供するブレード１の縦断面図を示している。このために、冷却空気１０は、ブレードの基部領域において冷却チャネル１１に進入する。ブレード１の後縁２２において流れ機械の主流路へ出る直前に、冷却空気１０の一部は供給ライン１２に進入し、流体流１４としてノズル開口１３を通じて、ブレード１およびベーン４のプラットフォーム２および５によって画成された漏れ間隙１８内へ噴射される。流体流１４は、漏れ流８を著しく制限する。
【００３６】
図２ｃは、冷却チャネル１１を有するブレード１の翼の一部の縦断面図を示している。ブレード１の先端部２３には、ノズル開口１３が設けられており、このノズル開口１３を通じて、冷却空気１０の一部が流体流１４として、ブレード１の先端部２３と、静止構成部材１７、例えば熱シールドエレメントとによって画成された漏れ間隙１８内へ噴射される。
【符号の説明】
【００３７】
１  ブレード
２  ブレードのプラットフォーム
３  刃形縁部
４  ベーン
５  ベーンのプラットフォーム
６  刃形縁部
７  縁部キャビティ
８  漏れ流
９  ハニカム構造体
１０  冷却媒体、冷却空気
１１  冷却チャネル
１２  供給ライン
１３，１３’  ノズル開口
１４  流体流
１５  冷却チャネルの開口
１６  回転構成部材
１７  静止構成部材
１８  漏れ間隙
１９  ノズル軸線
２０  半径方向
２１  インピンジメントシート
２２  ブレードの後縁
２３  ブレードの先端部
【図１】
0006038084.tif 000002
【図２ａ】
0006038084.tif 000003
【図２ｂ】
0006038084.tif 000004
【図２ｃ】
0006038084.tif 000005